(57)【要約】      （修正有）【課題】作業者が一人でも上側レールのローラ側にドア枠を連結できる作業性、経済性に優れたドア装置を提供する。【解決手段】上下一対の横框（１）と、左右一対の縦框とでドア枠を形成し、上記上側横框を上側レール（５）内にスライド自在に挿入したダブル車輪型ローラ（Ｒ１）、（Ｒ２）に連結部材（Ａ）を介して連結し、上記下側横框を下側レール内にスライド自在に挿入しているドア装置において、上側横框はシート又は防虫ネット定着用の蟻溝（１５Ａ）と、開口部幅狭の長溝（１１）とを有し、上記連結部材を上記ローラ間に設けた軸部（７）と、上記軸部に形成した孔に回転自在に挿入した支持ロッド（８）と、下部引っ掛け片を備えた支持金具（１０）と、上記長溝内にスライド自在に挿入したガイド片（１２）と、上記ガイド片を上記支持金具に着脱自在に連結する取付部材と、で構成する。【選択図】図２
2018007628.tif 000002
【特許請求の範囲】
【請求項１】
上下一対の横框（１）、（２）と、左右一対の縦框（３）、（４）とでドア枠（Ｐ）を形成し、上記上側横框（１）を上側レール（５）内にスライド自在に挿入したダブル車輪型ローラ（Ｒ１）、（Ｒ２）に連結部材（Ａ）を介して連結し、上記下側横框（２）を下側レール（６）内にスライド自在に挿入しているドア装置において、
上記上側横框（１）は正面側に長手方に沿って形成された少なくとも一つのシート又は防虫ネット定着用の蟻溝（１５Ａ）と、背面側に長手方向に沿って形成された開口部幅狭の長溝（１１）とを有し、
上記連結部材（Ａ）を上記ローラ（Ｒ１）、（Ｒ２）間に設けた軸部（７）と、上記軸部（７）に形成した孔（７Ａ）に回転自在に挿入した支持ロッド（８）と、上記支持ロッド（８）に着脱自在に連結されると共に上記上側横框（１）の下端面に着脱自在に当接する下部引っ掛け片（１０Ｅ）を備えた支持金具（１０）と、上記長溝（１１）内にスライド自在に挿入したガイド片（１２）と、上記ガイド片（１２）を上記支持金具（１０）に着脱自在に連結する取付部材（Ｂ）と、で構成されていることを特徴とするドア装置。
【請求項２】
上記上側横框（１）は板材を折り曲げて正面側に長手方向に沿ってそれぞれ蟻溝（１５Ａ）、（１５Ｂ）を形成した上下一対の蟻溝フレーム（Ｃ）、（Ｄ）と、同じく板材を折り曲げて上記蟻溝フレーム（Ｃ）、（Ｄ）の背面側中間位置に長手方向に沿って長溝（１１）を形成した長溝フレーム（Ｅ）とで構成され、上記下側の蟻溝（１５Ｂ）をシート定着用の蟻溝として利用している請求項１に記載のドア装置。
【請求項３】
上記上側の蟻溝フレーム（Ｃ）は底部（ｃ１）と上記底部（ｃ１）の両側から内側に傾斜して起立する上下一対の側壁（ｃ２）、（ｃ２）とからなり、同じく下側の蟻溝フレーム（Ｄ）は底部（ｄ１）と上記底部（ｄ１）から内側に傾斜して起立する上下一対の側壁（ｄ２）、（ｄ２）とからなり、上記長溝フレーム（Ｅ）は底部（ｅ１）と上記上側蟻溝フレーム（Ｃ）の下側側壁（ｃ２）と上記下側蟻溝フレーム（Ｄ）の上側側壁（ｄ２）とで構成されている請求項２に記載のドア装置。
【請求項４】
、
上記支持金具（１０）を板状の金具本体（１０Ｄ）と、上記金具本体（１０Ｄ）の上端に設けられて上記支持ロッド（８）に着脱自在に連結される水平フレーム（１０Ａ）と、上記金具本体（１０Ｄ）の中間端部を切り起して形成された水平方向のスリット（１０Ｂ）と、切り起されて上記長溝（１１）の開口部口縁に着脱自在に当接する中間引っ掛け片（１０Ｃ）と、上記本体（１０Ｄ）の下端を折り曲げて上記上側横框（１）の下端面に当接する下部引っ掛け片（１０Ｅ）とで構成している請求項１、２又は３に記載のドア装置。
【請求項５】
上記取付部材（Ｂ）は上記ガイド片（１２）に結合されて上記スリット（１０Ｂ）を貫通するボルト（１３）と、上記ボルト（１３）に螺合したナット（１４）とで構成されている請求項１、２、３又は４のいずれか一項に記載のドア装置。
【発明の詳細な説明】
【技術分野】
【０００１】
本発明は、ビニールハウス等の温室における出入り口に開閉自在に設けたドア装置に関し、特に、出入り口の上側に設けたレールにスライド自在に設けた引き違いドアの吊り下げ構造に特徴があるドア装置に関する。
【背景技術】
【０００２】
一般に、ビニールハウス等の温室では、ハウス内に作業者が出入りする出入り口に上下のレールを介してスライドする矩形の引き違いドアが開閉自在に設けられている。
【０００３】
上記ドアの上部枠は上側レールにスライド自在に設けた戸車に吊下げられ、下側のレールには上記ドアの下部枠をスライド自在に嵌合させているのが普通である。
【０００４】
このドア装置のドア吊り下げ構造としては、例えば、特許文献１に開示されたものが開発されている。
【０００５】
このドア吊り下げ構造Ｔは、図５に示すように、上側レール１００内にスライド自在に挿入したダブル車輪型のローラＲ１、Ｒ２と、このローラＲ１、Ｒ２の中間軸部１０３を貫通して垂設された支持ロッド１０２と、ドア枠Ｑの横枠たる上側横框１０５の背面にボルト１０６とナット１０７とで固定したＬ字状の板金具１０８と、上記支持ロッド１０２に螺合して上記板金具１０８の上部水平片１０８Ａを挟持するナット１０４とから構成されている。
【０００６】
そして、ドア枠Ｑを上側レール１００に吊持ちさせる場合は、予め、ローラＲ１、Ｒ２を上側レール１００内に挿入して水平な支持フレーム１０１、１０１上にスライド自在に搭載しておく。
【０００７】
この状態で、例えば、作業者の一人がドア枠Ｑを持ち上げて待機し、次に他の作業者がローラＲ１、Ｒ２を板金具１０８の位置までスライドさせて支持ロッド１０２を上部水平片１０８Ａに形成した孔に挿入し、次いで、この支持ロッド１０２の下端にナット１０４を螺着して上部水平片１０８Ａを支持ロッド１０２とナット１０４とで挟持し、これにより、ローラＲ１、Ｒ２に支持ロッド１０２を介してドア枠Ｑを吊り下げる。
【先行技術文献】
【特許文献】
【０００８】
特許文献１（特開平８−１４９９２７号公報  図５、段落（００１４）、要約参照）
【発明の概要】
【発明が解決しようとする課題】
【０００９】
しかしながら、特許文献１に示す従来のドアの吊り下げ構造Ａは機能上欠陥があるわけではないが、次のような不具合の改善が望まれている。
【００１０】
即ち、図５に示す従来のドア装置は、ドア枠Ｑを上側レール１００に取付ける場合は、予め上側ロール１００内に挿入したローラＲ１、Ｒ２側の支持ロッド１０２にナット１０４を介して連結するのであるが、この連結作業は一人で行うには困難であり、複数の作業者が必要となる。
【００１１】
何故ならば、この連結作業はドア枠Ｑ側の金具１０８と、ローラＲ１、Ｒ２側の支持ロッド１０２との位置合わせ工程と、位置合わせされた金具１０８と支持ロッド１０２とを結合するナット１０４の締付作業の工程が必要である為、重量の重いドアＤを持ち上げながらナット１０４の締付操作を一人で同時に行うのは相当困難である。
【００１２】
従って、従来は、どうしても一人の作業者がドアＤを持ち上げて位置合わせし、もう一人の他の作業者がナット１０４の締付作業を行うことになる。
【００１３】
この為、作業が面倒であり、人件費の高騰を招き、作業性、経済性に劣るものである。
【００１４】
そこで、本発明の目的は、作業者が一人でも上側レールのローラ側にドア枠を連結できる作業性、経済性に優れたドア装置を提供することでる。
【課題を解決するための手段】
【００１５】
上記の目的を達成する為、本発明の手段は、上下一対の横框と、左右一対の縦框とでドア枠を形成し、上記上側横框を上側レール内にスライド自在に挿入したダブル車輪型ローラに連結部材を介して連結し、上記下側横框を下側レール内にスライド自在に挿入しているドア装置において、
上記上側横框は背面側に長手方に沿って形成された少なくとも一つのシート定着用の蟻溝と、正面側に長手方向に沿って形成された開口部幅狭の長溝とを有し、
上記連結部材を上記ローラ間に設けた軸部と、上記軸部に垂設した支持ロッドと、上記支持ロッドに着脱自在に連結されると共に上記上側横框の下端面に着脱自在に当接する引っ掛け片を備えた支持金具と、上記長溝内にスライド自在に挿入したガイド片と、上記ガイド片を上記支持金具に着脱自在に連結する取付部材と、で構成されていることを特徴とする。
【００１６】
この場合、上記上側横框は板材を折り曲げて背面側に長手方向に沿ってそれぞれ蟻溝を形成した上下一対の蟻溝フレームと、同じく板材を折り曲げて上記蟻溝フレームの正面側中間位置に長手方向に沿って長溝を形成した長溝フレームとで構成され、上記下側の蟻溝をシート定着用の蟻溝として利用していても良い。
【００１７】
同じく、上記上側の蟻溝フレームは底部と上記底部の両側から内側に傾斜して起立する上下一対の側壁とからなり、同じく下側の蟻溝フレームは底部と上記底部から内側に傾斜して起立する上下一対の側壁とからなり、上記長溝フレームは底部と上記上側蟻溝フレームの下側側壁と上記下側蟻溝フレームの上側側壁とで構成されていても良い。
【００１８】
同じく、上記支持金具を板状の金具本体と、上記金具本体の上端に設けられて上記支持ロッドに着脱自在に連結される水平フレームと、上記金具本体の中間端部を切り起して形成された水平方向のスリットと、切り起されて上記長溝の開口部口縁に着脱自在に当接する中間引っ掛け片と、上記本体の下端を折り曲げて上記上側横框の下端面に当接する下部引っ掛け片とで構成していても良い。
【００１９】
同じく、上記取付部材は上記長溝内にスライド自在に挿入したガイド片と、上記ガイド片に結合されて上記スリットを貫通するボルトと、上記ボルトに螺合したナットとで構成されていても良い。
【発明の効果】
【００２０】
Ａ）各請求項の発明によれば、支持金具が予めローラ側支持ロッドに連結され、またこの支持金具が上側横框の下端面に着脱自在に当接する引っ掛け片を備えているから、ドア枠を上側レールに取付ける際に、予め、この引っ掛け片を上側横框の下端面に引っ掛けてドア枠を支持ロッド側に吊るしておくことが出来る。
【００２１】
そして、この状態で長溝内にスライド自在に挿入したガイド片を支持金具に取付け部材を介して連結することが出来る。
【００２２】
この為、ドア枠を支えておく作業者必要なく、一人の作業者がドア枠を支持金具に吊り下げる作業と、ガイド片を支持金具に取付け作業を行うことが出来、作業性の効率化を図れ、人件費の削減が可能となる。
Ｂ）ローラＲ１、Ｒ２は左右にスライドできるので、ドア枠を上側レールに沿って左右に移動できる。この為、ドア枠の両側にパイプその他の障害物が存在していてもこの障害物から外れる位置までドア枠を左右に移動でき、この障害物に干渉されることなくドア枠を吊り下げた状態でシート又は防虫ネットを展張できる。
Ｃ）請求項２の発明によれば、下側の蟻溝をシートの定着用の蟻溝として利用しているので、ドア枠の上端部に上側レールの一部やその他の部材が存在していてもこれらの部材に邪魔されることなくドア枠に透明シートを展張できる。
【００２３】
いいかえれば、ドア枠を上側レールに吊持ちさせた状態でシート又は防虫ネットを展張でき、シートの張替え作業を行うことが出来き、作業性の向上を図れる。
【図面の簡単な説明】
【００２４】
【図１】本発明の一実施の形態に係るドア装置の斜視図である。
【図２】図１に一部拡大斜視図である。
【図３】図１の一部分解斜視図である。
【図４】図１の一部拡大縦断側面図である。
【図５】従来のドア装置の断面図である。
【発明を実施するための形態】
【００２５】
以下に本発明の一実施の形態に係るドア装置を図１〜図４を参照しながら説明する。
【００２６】
本発明は、ビニールハウス等の温室における出入り口に開閉自在に設けたドア装置に関し、特に、出入り口の上側に設けたレールにスライド自在に設けた引き違いドアの吊り下げ構造を改良したドア装置に関する。
【００２７】
本発明のドア装置の基本構造は従来のドア装置と同じであり、これは図１に示すように、横枠たる上下一対の横框１、２と、縦枠たる左右一対の縦框３、４とでドア枠Ｐを形成している。
【００２８】
また、上側横框１を上側レール５内にスライド自在に挿入したダブル車輪型ローラＲ１、Ｒ２に連結部材Ａを介して連結し、下側横框２を下側レール６内にスライド自在に挿入している。
【００２９】
ドア枠Ｐは中央の縦方向と横方向に延びる補強材Ｘ、Ｙで補強されている。
【００３０】
上下の横框１、２と左右の縦框３、４の背面側にはそれざれ長手方に蟻溝が形成されており、この蟻溝に公知のように係止線条を介して透明シート又は防虫ネットの端部が定着され、これによりドア枠Ｐの背面に透明シート又は防虫ネットが展張されている。
【００３１】
上側レール５は図５の公知例と同じであり、これは図４に示すように、パイプ１０９にフック１１０とナット１１１とで固定した断面コ字状のホルダ１１３の下端フック片１１３ａに担持されている。
【００３２】
上側框５の下部には内向きの水平な左右一対の支持フレーム５ａ、５ａが設けられており、この支持フレーム５ａ上をローラＲ１、Ｒ２がドア枠Ｐを吊り下げながら走行するようになっている。
【００３３】
この場合、ローラ５ａ、５ａは、例えば、図１に示すストッパＳＰの位置まで移動できるようになっている。
【００３４】
そして、本発明のドア装置の特徴となる構造が、図２〜図４に示されている。
【００３５】
この特徴となる構造は上側横框１の構造と連結部材Ａの構造に存する。
【００３６】
即ち、上側横框１は背面側に長手方に沿って形成された少なくとも一つのシート定着用の蟻溝１５Ａと、正面側に長手方向に沿って形成された開口部幅狭の長溝１１とを有している。
【００３７】
また、連結部材ＡはローラＲ１、Ｒ２間に設けた軸部７と、軸部７の中央に形成した孔７Ａ内に回転自在に挿入した支持ロッド８と、支持ロッド８に着脱自在に連結されると共に上側横框１の下端面に着脱自在に当接する引っ掛け片１０Ｂを備えた支持金具１０と、上記長溝１１内にスライド自在に挿入したガイド片１２と、ガイド片１２を支持金具１０に着脱自在に連結する取付部材Ｂとで構成されている。
【００３８】
本実施の形態では、上側横框１は板材を折り曲げて背面側に長手方向に沿ってそれぞれ蟻溝１５Ａ、１５Ｂを形成した上下一対の蟻溝フレームＣ、Ｄと、同じく板材を折り曲げて上記蟻溝フレームＣ、Ｄの正面側中間位置に長手方向に沿って長溝１１を形成した長溝フレームＥとで構成され、下側の蟻溝１５Ｂをシート定着用の蟻溝として利用している。
【００３９】
この場合、下側の蟻溝１５Ｂをシートの定着用の蟻溝として利用しているので、ドア枠Ｐの上端部に上側レール５の一部やその他の部材が存在していてもこれらの部材に邪魔されることなくドア枠Ｐに透明シートを展張できる。
【００４０】
いいかえれば、ドア枠Ｐを上側レール５に吊持ちさせた状態でシートを展張でき、シートの張替え作業を行うことが出来き、作業性の向上を図れる。
【００４１】
同様に、ローラＲ１、Ｒ２は図１のストッパＳＰの位置までスライドできるので、ドア枠Ｐ上側レール５に沿って左右に移動できる。この為、ドア枠Ｐの両側にパイプその他の障害物が存在ししていてもこの生涯物から外れる位置までドア枠Ｐを左右に移動でき、この障害物に干渉されることなくドア枠Ｐを吊り下げた状態でシートを展張できる。
【００４２】
ただし、シート定着用の蟻溝は下側の蟻溝１５Ｂのみでも使用可能である。
【００４３】
この蟻溝１５Ｂにはシートに替えて防虫ネットを定着しても良い。
【００４４】
この上側框１は軽量化、材料の節約化、加工性の容易化を図るため、図示のように板材を折り曲げて成形しているが、この構造に限定されるものでは無い。
【００４５】
例えば、この上側框１を厚肉の板本体と、この板本体の背面側に長手方向に沿って形成した上下一対の蟻溝１５Ａ、１５Ｂと、板本体の正面側であって、蟻溝１５Ａ、１５Ｂの中間に位置して長手方向に沿って形成した長溝１１とで構成しても良い。
【００４６】
上記実施の形態に係る上側の蟻溝フレームＣは、図３、図４に示すように、底部ｃ１と底部ｃ１の両側から内側に傾斜して起立する上下一対の側壁ｃ２、ｃ２とからなり、同じく下側の蟻溝フレームＤは底部ｄ１と底部ｄ１から内側に傾斜して起立する上下一対の側壁ｄ２、ｄ２とで構成されている。
【００４７】
また、長溝フレームＥは底部ｅ１と上側蟻溝フレームＣの下側側壁ｃ２と下側蟻溝フレームＤの上側側壁ｄ２とで構成されている。即ち、長溝フレームＥの側壁は蟻溝フレームＣ、Ｄの側壁ｃ２、ｄ２と共通となっている。
【００４８】
支持金具１０は図３から分かるように、板状の金具本体１０Ｄと、金具本体１０Ｄの上端を水平に折り曲げて設けられて支持ロッド８に着脱自在に連結される水平フレーム１０Ａと、金具本体１０Ｄの中間の片側端部に形成された水平方向のスリット１０Ｂと、スリット１０Ｂの上端から背部方向に向けて折り曲げて形成して長溝１１の開口部口縁に着脱自在に当接する中間引っ掛け片１０Ｃと、金具本体１０Ｄの下端を背部方向に折り曲げて上側横框１の下端面に当接する下部引っ掛け片１０Ｅとで構成されている。
【００４９】
水平フレーム１０Ａには図３に示すように、孔１０Ｆが形成されている。
そして、孔１０Ｆを支持ロッド８のねじ部８ａが貫通し、このねじ部８ａにナット９を螺合させて当該ナット９と支持ロッド８の端部とで水平フレーム１０Ａを挟持し、これにより上側框１が支持金具１０と支持ロッド８とを介してローラＲ１、Ｒ２側に吊持ちされることになる。
【００５０】
孔１０Ａは一つの丸孔で形成されているが、大きさ、形状は図示のものに限定されるものでは無い。
ナット９を締め付けた状態では、水平フレーム１０Ａと金具本体１０Ｄと支持ロッド８とは一体となって孔７Ａを中心にして回転できるようになっている。
【００５１】
中間引っ掛け片１０ｃはスリット１０Ｂを形成した時切り起されて背部方向に折り曲げられて形成されるが、金具本体１０Ｄの正面に溶接等で取付けても良い。
【００５２】
スリット１０Ｂは一つでも良いが、中間引っ掛け片１０Ｃは図３に示すように左右一対設けても良い。
【００５３】
中間引っ掛け片１０Ｂを左右一対設けた場合はバランス良く長溝１１の開口部口縁を支えることが出来る。
【００５４】
取付部材Ｂは図３、図４に示すように、長溝１１内にスライド自在に挿入したガイド片１２に結合されてスリット１０Ｂを貫通するボルト１３と、ボルト１３に螺合したナット１４とで構成されている。
【００５５】
ガイド片１２は長方体状又はひし形状に形成され、コーナ部を面取りして湾曲させている。
【００５６】
ガイド片１２の長手方向の寸法は長溝１１の開口部の幅寸法より大きく形成され、短手方向の寸法は長溝１１の開口部の幅寸法より小さく形成されている。
【００５７】
このため、図３に示すように、ガイド片１２を長溝１１内に挿入させる場合は、ボルト１３を取付けたままガイド片１２を水平に横向きにして長溝１１の開口部から挿入し、この状態でガイド片１２を水平方向にスライドしてボルト１３を支持金具１０のスリット１０Ｂに貫通させる。
【００５８】
次に、ガイド片１２を長溝１１内で９０度回転し、さらにナット１４を螺合して締め付けると取付部材Ｂを介して支持金具１０が上側横框１に結合される。
【００５９】
この状態では、ガイド片１２が図４に示すように縦に嵌合しており、その縦方向の寸法が長溝１１の開口部の幅寸法より長いのでガイド片１２は長溝１１から抜け出るのが防止される。
【００６０】
ガイド片１２は図３の状態において、上記のように長溝１１の正面側開口部から挿入しても良いが、長溝１１自体の右側側部から挿入しても良い。
【００６１】
ただし、予め上側横框１に左右の縦框３、４が組み付けられている場合はこれらの左右の縦框３、４と干渉するのでガイド片１２は上記のように長溝１１の開口部から挿入し、又は抜き出すことになる。
【００６２】
次にドア枠ＰをローラＲ１、Ｒ２側に連結又は取外す操作について説明する。
【００６３】
図２、図３に示すように、ドア枠Ｐを上側横框１に吊持ちさせる場合は、予めローラＲ１、Ｒ２を上側レール５内に挿入し、支持金具１０を吊り下げておく。
この状態からドア枠Ｐを上側レール１の下に立て掛け、上側框１の正面を金具本体１０Ｄの背面に近づけて宛がい、更に中間引っ掛け片１０Ｃを長溝１１の上縁に引っ掛け、同時に下側引っ掛け片１０Ｅを上側横框１の下端面に引っ掛ける。
これにより、ドア枠Ｐは中間引っ掛け片１０Ｃと下側引っ掛け片１０Ｅに引っ掛けられて支持されながら連結部材Ａに吊り下げられる。
次に、長溝１１内にガイド片１２を水平状態で横向きに挿入し、更に長溝１１に沿って横方向にスライドさせ、ボルト１３をスリット１０Ｂ内に挿入する。
ガイド片１２は予めスリット１０Ｂ内に水平状態で挿入しておき、上側框１を支持金具１０に宛がった時にこのガイド片１２を長溝１１内に挿入し、次いでこの長溝１１で９０度回転させても良い。
次いで、ガイド片１２を長溝１１内で９０度回転して長溝１１内から抜けないようにしておき、この状態でボルト１３に対してナット１４を螺合して締め付ける。
このため、支持金具１０はガイド片１２とナット１４とで挟持され、支持金具１０に上側框１が固定され、結果的にドア枠Ｄが連結部材Ａを介してローラＲ１、Ｒ２に吊り持ちされることになる。
このようにドア枠Ｄが支持金具１０に引っ掛けられて吊り下げられている状態ではこのドア枠Ｄを立て掛けておく作業が不要となり、そのための作業者が不要となり、一人の作業者がガイド片１２の差し込み操作、ナット１４の締結操作を行うことができる。
上記のドア枠Ｐの取付け工程はローラＲ１、Ｒ２予め上側レール５内に挿入している状態の工程であるが、これに限らず、ドア枠Ｐを立て掛けた後にローラＲ１、Ｒ２を上側レール５内に端部側から挿入し、次いでローラＲ１、Ｒ２と連結部材Ａをドア枠Ｐ側にスライドさせ、次いで支持金具１０に上側框１を引っ掛けて吊り下げても良い。
ただし、この場合は、図１に示すようにドア枠Ｐは左右に縦框３、４が設けられているので図２、図３の状態の支持金具１０では中間の引っ掛け片１０Ｃと下部引っ掛け片１０Ｅが縦框３又は４の側面に当たり、水平方向にスライドできない。
したがって、この場合は、ローラＲ１、Ｒ２を上側レール５内に挿入した時予め、支持ロッド８と支持金具１０とをナット９で締結しておき、次いで、孔７Ａを中心してこれらの支持ロッド８と支持金具１０を１８０度回転して中間引っ掛け片１０Ｃと下部引っ掛け片１０Ｅを上側横框１と反対側、即ち正面側に向けておく。
言い換えれば、図２、図３の状態では各引っ掛け片１０Ｃ、１０Ｅが上側横框１の方向、即ち背面側に向けられているのに対して、支持金具１０を１８０度回転してこの各引っ掛け片１０Ｃ、１０Ｅを上側横框１と反対側の正面側に向けておく。
この状態では、各引っ掛け片１０Ｃ、１０Ｅが左右の縦框３、４に引っ掛からないので、上側横框１の例えば右端部からローラＲ１、Ｒ２と連結部材Ａを上側框１方向に向けて左側にスライドし、そして、例えば、縦框４に連結部材Ａが位置した時支持ロッド８と支持金具１０とを孔７Ａ中心にして１８０度反転させながらこの縦框４を乗り越えさせる。
これにより、て支持金具１０を図２、図３に示すように、各引っ掛け片１０Ｃ、１０Ｅを上側横框１に対向させることができ、この状態ですでに述べたように各引っ掛け片１０Ｃ、１０Ｅをそれぞれ長溝１１の上縁と上側框１の下端面に引っ掛ける。
【符号の説明】
【００６４】
１  上側横框
２  下側横框
３、４  縦框
Ｐ  ドア枠
５  上側レール
６  下側レール
７  軸部
８  支持ロッド
１５Ａ、１５Ｂ  蟻溝
１０  支持金具
１０Ａ  水平フレーム
１０Ｂ  スリット
１０Ｃ  中間引っ掛け片
１０Ｄ  本体
１０Ｅ  下部引っ掛け片
１１  長溝
１２  ガイド片
１３  ボルト
１４  ナット
Ａ  連結部材
Ｂ  取付部材
Ｃ  上側の蟻溝フレーム
ｃ１  底部
ｃ２  側壁
Ｄ  下側の蟻溝フレーム
ｄ１  底部
ｄ２  側壁
Ｅ  長溝フレーム
ｅ１  底部
Ｒ１、Ｒ２  ローラ
【図１】
2018007628.tif 000003
【図２】
2018007628.tif 000004
【図３】
2018007628.tif 000005
【図４】
2018007628.tif 000006
【図５】
2018007628.tif 000007